(57)【特許請求の範囲】
【請求項１】
感知部と電源回路とを内蔵し、電源回路を導出させた本体ボディと、前記本体ボディを取り付けるための取付具とを備え、前記本体ボディの裏面には、挿入口に係合口を連続させて形成した係合孔を形成し、前記取付具の表面には、先端に係合爪を形成した起立壁を前記係合孔に対応して形成し、前記本体ボディの裏面に設けられた係合孔に、前記取付具の起立壁を挿入して、回動させることによって、前記本体ボディを前記取付具に固定するようにしており、且つ、
前記取付具に形成した起立壁の高さを、前記本体ボディの裏面の肉厚よりも十分に大きくして、この起立壁によって、前記本体ボディと取付具との間に、前記本体ボディより導出された電源コードを巻き付ける頸部を形成したことを特徴とする住宅用防災感知器。
【請求項２】
感知部と電源回路とを内蔵し、電源回路を導出させた本体ボディと、前記本体ボディを取り付けるための取付具とを備え、前記本体ボディの裏面には、先端に係合爪を形成した起立壁を形成し、前記取付具の表面には、挿入口に係合口を連続させて形成した係合孔を、前記起立壁に対応して形成し、前記本体ボディの裏面に設けられた起立壁を、前記取付具の係合孔に挿入して、回動させることによって、前記本体ボディを前記取付具に固定するようにしており、且つ、
前記本体ボディに形成した起立壁の高さを、前記取付具の表面の肉厚よりも十分に大きくして、この起立壁によって、前記本体ボディと取付具との間に、前記本体ボディより導出された電源コードを巻き付ける頸部を形成したことを特徴とする住宅用防災感知器。
【請求項３】
前記取付具に、取付位置を調整するための弧状長孔を設けた、請求項１又は２のいずれかに記載の住宅用防災感知器。
【請求項４】
前記本体ボディ内に収容される感知部が、異常検知時に有電圧信号を出力するようにした、請求項１〜３のいずれかに記載の住宅用防災感知器。
【発明の詳細な説明】
【０００１】
【発明の属する技術分野】
本発明は、住宅用防災感知器に関し、特に、住宅用の電源ラインからの給電を受けるための電源コードを有する住宅用防災感知器であって、壁面や、天井面への取付を容易にした、住宅用防災感知器に関する。
【０００２】
【従来の技術】
従来の住宅用防災感知器は、例えば、ガス漏れ警報器を例に取ると、家庭用の交流１００Ｖの電源ラインから直接給電するようにし、ガス漏れを検知すると、警報が鳴るようにしたものが提案されている。
図４は、そのような従来のガス漏れ警報器の要部を概略的に示す分解斜視図である。
【０００３】
このガス漏れ警報器１０１は、壁等に取り付ける取付金具１０２と、本体ボディ１０３と、本体ボディ１０３の背面側に固定的に取り付けられた取付けベース１０４と、電源コード１０６とを備える。
本体ボディ１０３は、その内部に、ガス検知部を備える感知回路部と、感知回路部が、ガス漏れと判断したときに、警報を発令する警報発令手段と、感知回路部及び警報発令手段を動作させる電源回路とを備える。
【０００４】
また、電源コード１０６は、一端が、本体ボディ１０３の内部に設けられた電源回路に接続されており、他端には、給電部（住宅用の交流１００Ｖの電源ラインのコンセント）に差し込むための差込みプラグ５が接続されている。
取付金具１０２は、その表面の上側に、断面がＬ字形状の嵌合突起部１０２ａを備え、下側には、断面がＩ字形状の突起部１０２ｂを備える。
【０００５】
また、取付けベース１０４は、その背面に突出形成された起立壁（図５（ａ）に示す起立壁１０４ｗ）と、起立壁１０４ｗの上端に設けられた板状体（図５（ａ）に示す板状体１０４ｐ）とを備えており、板状体１０４ｐの所定の位置には、嵌合突起部１０２ａを挿入する孔部１０４ａと、突起部１０２ｂを挿入する孔部１０４ｂとが設けられた構造となっている。
【０００６】
起立壁１０４ｗには、梱包時や、搬送時の便宜のため、電源コード１０６が巻き付けられるようになっている。
尚、１０２ｈ、１０２ｈは、ネジ１０７を挿入するネジ孔を示している。
次に、図５に、このガス漏れ警報器１０１を、壁等に取り付ける手順を示す。
このガス漏れ警報器１０１を、壁面Ｗに取り付ける際には、まず、図５（ａ）に示すように、ネジ１０７、１０７をネジ孔１０２ｈ、１０２ｈに挿入し、壁面Ｗにネジ１０７、１０７を螺合して、取付金具１０２を壁面Ｗに取り付ける。
【０００７】
次に、取付けベース１０４の起立壁１０４ｗに巻き付けた電源コード１０６を解いた後、図５（ｂ）に示すように、まず、取付金具１０２の上側に設けられた断面がＬ字形の嵌合突起部１０２ａに、取付けベース１０４に設けられた嵌合孔部１０４ａを挿入し、次に、取付金具１０２の下側に設けられた突起部１０２ｂを、取付けベース１０４に設けられた孔部１０４ｂに挿入し、突起部１０２ｂと孔部１０４ｂとの嵌合と、嵌合突起部１０２ａによる嵌合孔部１０４ａの釣り下げ構造とにより、取付金具１０２に本体ボディ１０３を取り付ける（図５（ｃ）を参照）。
【０００８】
【発明が解決しようとする課題】
ところで、図４に示すガス漏れ警報器１０１では、専用の取付金具１０２や、専用の取付けベース１０４が必要であり、部品点数が多く、構造が複雑であり、製造コストが高くなるという問題や、天井取り付け用に転用して使用できないといった問題や、また、取付けベース１０４を取付金具１０２に取り付けた時に、取付けベース１０４の電源コード１０６を巻き付けていた起立壁１０４ｗが、取付金具１０２と本体ボディ１０３との間に露呈して見えるため、見栄えが悪いといったような問題がある。
【０００９】
本発明は、以上のような問題を解決するためになされたものであって、部品点数が少なく、構造が簡単であり、製造コストも安く、天井に取り付けて使用することもでき、見栄えのよい、住宅用防災感知器を提供することを目的とする。
【００１０】
【課題を解決するための手段】
請求項１に記載の住宅用防災感知器は、感知部と電源回路とを内蔵し、電源回路を導出させた本体ボディと、前記本体ボディを取り付けるための取付具とを備え、本体ボディの裏面には、挿入口に係合口を連続させて形成した係合孔を形成し、取付具の表面には、先端に係合爪を形成した起立壁を係合孔に対応して形成し、本体ボディの裏面に設けられた係合孔に、取付具の起立壁を挿入して、回動させることによって、本体ボディを取付具に固定するようにしており、且つ、前記取付具に形成した起立壁の高さを、前記本体ボディの裏面の肉厚よりも十分に大きくして、この起立壁によって、前記本体ボディと取付具との間に、前記本体ボディより導出された電源コードを巻き付ける頸部を形成したことを特徴とする。
【００１１】
ここで、本明細書で用いる、「住宅用防災感知器」は、家庭用のガス漏れ警報器のみに限られず、住宅用電源ラインから給電を受ける防災感知器を含む。
この住宅用防災感知器では、取付具を壁面や、天井面取り付けておき、本体ボディの裏面に形成した係合孔に取付具の起立壁を挿入してから、本体ボディを回動させれば、起立壁の係合爪が、係合孔に係合し、いわゆるツイストロックにより、本体ボディを取付具に固定することができる。
【００１２】
この際、本体ボディが取付具に対し、ガタツクのを防止して固定するためには、本体ボディの裏面に形成する係合孔の係合口の開口幅を、取付具の起立壁の厚みに合致させればよい。また、取付具の起立壁の高さを、本体ボディの裏面の肉厚に合致させるようにすると、起立壁が本体ボディ内に収容される構造となるため、取付具に本体ボディを取り付けた後、取付具と本体ボディとの間に、起立壁が露呈しないようにでき、外観がすっきりとして美しい。
更に、取付具に形成した起立壁の高さを、本体ボディの裏面の肉厚よりも十分に大きくした。このような構造とすると、本体ボディを取付具に取り付けると、本体ボディと取付具との間には、起立壁によって、頸部を形成できるので、本体ボディより導出した電源コードを、この頸部に巻き付けることができる。
そのため、本体ボディと給電部との距離が短いような場合には、余分な電源コードを頸部に巻き付けることにより、電源コードが邪魔にならず、外観もスマートなものとなる。  また、電源コードを頸部に巻き付けない場合には、起立壁の全てを本体ボディの内部に収容させるようにすれば、本体ボディと取付具との間に隙間を生じることなく、本体ボディを取付具にピッタリと隙間無く取り付けることができる。
【００１３】
請求項２に記載の住宅用防災感知器は、感知部と電源回路とを内蔵し、電源回路を導出させた本体ボディと、本体ボディを取り付けるための取付具とを備え、本体ボディの裏面には、先端に係合爪を形成した起立壁を形成し、取付具の表面には、挿入口に係合口を連続させて形成した係合孔を、起立壁に対応して形成し、本体ボディの裏面に設けられた起立壁を、取付具の係合孔に挿入して、回動させることによって、本体ボディを取付具に固定するようにしており、且つ、前記本体ボディに形成した起立壁の高さを、前記取付具の表面の肉厚よりも十分に大きくして、この起立壁によって、前記本体ボディと取付具との間に、前記本体ボディより導出された電源コードを巻き付ける頸部を形成したことを特徴とする。
【００１４】
この住宅用防災感知器は、請求項１に記載の住宅用防災感知器の係合孔と、起立壁との関係を逆転させたものである。
この住宅用防災感知器も、取付具を壁面や、天井面に取り付けておき、本体ボディの裏面に形成した起立壁を取付具の係合孔に挿入してから、本体ボディを回動させれば、起立壁の係合爪が、係合孔に係合して、いわゆるツイストロックにより、本体ボディが取付具に固定される。
【００１５】
この場合も、本体ボディのガタツキを防止するためには、本体ボディの裏面に形成する起立壁の厚みを、取付具の係合孔の係合口の開口幅に合致させればよい。また、本体ボディの起立壁の高さを、取付具の表面の肉厚に合致させるようにすると、起立壁が取付具内に収容される構造となるため、取付具に本体ボディを取り付けた後、取付具と本体ボディとの間に、起立壁が露呈しないようにでき、外観がすっきりとして美しい。
更に、本体ボディに形成した起立壁の高さを、取付具の表面の肉厚よりも十分に大きくした。このような構造とすると、本体ボディを取付具に取り付けると、本体ボディと取付具との間には、起立壁によって、頸部を形成できるので、本体ボディより導出した電源コードを、この頸部に巻き付けることができる。
そのため、請求項１に記載の住宅用防災感知器と同様、本体ボディと給電部との距離が短いような場合には、余分な電源コードが邪魔にならないように、余分な電源コードを頸部に巻き付けたり、また、電源コードを頸部に巻き付けない場合には、起立壁の全てを取付具の内部に収容させるようにすれば、本体ボディと取付具との間に隙間を生じることなく、本体ボディを取付具に取り付けることができる。
【００２０】
請求項３に記載の住宅用防災感知器は、請求項１又は２のいずれかに記載の住宅用防災感知器の取付具に、取付位置を調整するための、弧状長孔を設けた。この構成により、取付具を、上下、左右、あるいは回動させて、位置調整して、壁面または天井面に固着できる。請求項４に記載の住宅用防災感知器は、請求項１〜３のいずれかに記載の住宅用防災感知器の本体ボディ内に収容される感知部が、異常検知時に有電圧信号を出力するようにした。
【００２１】
この住宅用防災感知器は、その感知部には、住宅用の電源ラインから電力が供給され、感知部が、異常検知時に有電圧信号を出力するようにしてあるので、ガス漏れ警報器として好適に用いることができる。
【００２２】
【発明の実施の形態】
以下に、本発明の実施の形態の一例について、図面を参照しながら説明する。（発明の実施の形態１）
図１は、本発明に係る住宅用防災感知器の要部を概略的に示す、分解斜視図である。
【００２３】
この住宅用防災感知器１は、台所等のガス漏れを検知すると警報（有電圧信号）を出力するガス漏れ警報器の例を示しており、取付具２と、本体ボディ３と、電源コード６とを備える。
本体ボディ３は、その内部には、ガス検知部を備える感知回路部と、感知回路部が、ガス漏れと判断したときに、警報を発令する警報発令手段と、感知回路部及び警報発令手段を動作させる電源回路とを備える。
【００２４】
また、電源コード６は、一端が、本体ボディ３の内部に設けられた電源回路に接続されており、他端には、給電部（住宅用の交流１００Ｖの電源ラインのコンセント）に差し込むための差込みプラグ５が接続されている。
尚、この例では、本体ボディ３としては、上側カバー体３１と、背面板３２とを備える、２ピース構造のものを用いている。
【００２５】
取付具２は、その表面に、起立するように設けられた起立壁２ｗ、２ｗを備え、起立壁の上端の所定の位置には、起立壁２ｗより幅広に設けられた係合爪２ｇ、２ｇを備える。尚、この例では、取付具２の表面に、先端に係合爪２ｇを形成した起立壁２ｗを、一対形成した例を示したが、本体ボディ３の裏面に、挿入口３２ａに係合口３２ｖを連続させて形成した係合孔３ｄに対応するように、２以上の起立壁２ｗを設けてもよい。
【００２６】
起立壁２ｗには、梱包時や、搬送時の便宜のため、本体ボディ３を取付具２に取り付ける前の状態において、電源コード６が巻き付けられるようになっている。
また、本体ボディ３は、その背面、より特定的には、背面板３２に、起立壁２ｗが嵌合する係合口３２ｖと、係合口３２ｖの一部に係合爪２ｇに対応するように設けられ、係合爪２ｇが嵌る大きさ形状の挿入口３２ａとが連続して形成された係合孔３ｄを備える。尚、この例では、本体ボディ３の裏面に、挿入口３２ａに係合口３２ｖを連続させて形成した係合孔３ｄを一対設けた例を示しているが、このような係合孔３ｄを、２以上設けてもよい。
【００２７】
この例では、本体ボディ３を取付具２にツイストロックさせたときに、本体ボディ３のガタツキをなくすため、係合口３２ｖの幅は、起立壁２ｗの幅と概ね等しい幅に形成している。
また、２ｈ１、２ｈ２は、ネジを挿入するネジ孔を示しており、この例では、ネジ孔２ｈ１は、位置決め用の、いわゆる、ダルマ孔とされており、ネジ孔２ｈ２は、長円弧状のネジ溝とされ、取付具２の取付位置調整用とされている。そして、ネジ孔２ｈ１、２ｈ２の各々の外周には、ネジ７の頭を収容する凹部２ｃが形成され、取付具２を壁面Ｗに取り付けたときに、ネジ７の頭が、凹部２ｃ内に収容されるようにしている。
【００２８】
図２は、この住宅用防災感知器１を、壁面に取り付ける手順を示している。
この住宅用防災感知器１を、壁面Ｗに取り付ける際には、まず、図２（ａ）に示すように、ネジ７、７、７、７をネジ孔２ｈ１、２ｈ１、２ｈ２、２ｈ２に挿入し、壁面Ｗにネジ７、７、７、７を螺合して、取付具２を壁面Ｗに取り付ける。
【００２９】
次に、電源コード６を取付具２の起立壁２ｗから取り外した後、図２（ｂ）に示すように、まず、取付具２に対し、本体ボディ３を斜めに位置し、取付具２の起立壁２ｗの上端の所定の位置に設けられた係合爪２ｇと、本体ボディ３の裏面、この例では、背面板３２に設けられた係合孔３ｈの挿入口３２ａとを整列させた後、係合爪２ｇを挿入口３２ａへ挿通する。
【００３０】
しかる後に、取付具２に対し、本体ボディ３を回転させ、取付具２に本体ボディ３をツイストロックさせるようにして、取付具２に本体ボディ３を取り付ける。
そして、最後に、差込みプラグ５を、給電部（住宅用の交流１００Ｖの電源ラインのコンセント）（図示せず。）に差し込む。
【００３１】
以上の説明から明かなように、この住宅用防災感知器１では、取付具２の表面に、係合爪２ｇを有する起立壁２ｗを設け、本体ボディ３の背面には、起立壁２ｗが嵌合する係合口３２ｖを連続して形成し、係合口３２ｖの一部に、係合爪２ｇが嵌る大きさ形状の挿入口３２ａを形成し、挿入口３２ａより係合爪２ｇを挿通して、しかる後に、取付具２に対して、本体ボディ３を回転させる、いわゆる、ツイストロック操作により、本体ボディ３を取付具２に容易に取り付けることができる。
【００３２】
また、取付具２と本体ボディ３との取付構造に、ツイストロック機構を採用しているので、取付具２を天井等へ取り付けた場合にも、係合爪２ｇと係合口３２ｈとにより、本体ボディ３が下方へ落下しない。
また、起立壁２ｗの高さを、本体ボディ３の裏面、即ち、背面板３２の肉厚よりも十分に大きくすれば、本体ボディ３を取付具２に取り付けると、本体ボディ３と取付具２との間には、起立壁２ｗによって、頸部が形成される。
【００３３】
したがって、この頸部に、本体ボディ３より導出した電源コード６を巻き付けて使用すれば、特に、本体ボディ３と、給電部（住宅用の交流１００Ｖの電源ラインのコンセント）（図示せず。）との距離が短いような場合には、余分な電源コード６を頸部に巻き付けることにより、電源コード６が邪魔にならず、外観もスマートなものとなる。また、電源コード６を頸部に巻き付けない場合には、起立壁２ｗの全てを本体ボディ３の内部に収容させるようにすれば、本体ボディ３と取付具２との間に隙間を生じることなく、本体ボディ３を取付具２に取り付けることができる。
（発明の実施の形態２）
図３は、本発明に係る住宅用防災感知器の要部を概略的に示す図であり、図３（ａ）は、本発明に係る住宅用防災感知器の要部を概略的に示す分解斜視図であり、図３（ｂ）は、この住宅用防災感知器を壁面に取り付けた状態を示す概略的な断面図を、各々、示している。
【００３４】
この住宅用防災感知器５１は、住宅用防災感知器１とは、係合孔と、起立壁との関係が逆の関係になっている以外は、同様であるので、住宅用防災感知器１と同様の部材については、相当する参照符号を付して、その説明を省略する。
この住宅用防災感知器５１では、本体ボディ３の裏面、即ち、背面板３２に、は、先端に係合爪３ｇを形成した起立壁３ｗが形成されている。
【００３５】
また、取付具２は、表板２ｓａと、表板２ｓａの周りに設けられた四周側面２ｓｂとを備えており、表板２ｓａには、起立壁３ｗに対応して、挿入口２ａに係合口２ｖを連続させて形成した係合孔２ｄが形成されており、取付具２を壁面等に取りた際には、表板２ｓａ、側面２ｓｂ及び壁面等とにより形成される中空部内に、係合孔２ｄを介して起立壁３ｗが収容できるようになっている。
【００３６】
尚、図３（ｂ）に例示するように、取付具２の四周側面２ｓｂの端部に、連続するように鍔体ｇを形成してもよい。
そして、ボディ本体３の裏面に突出させた起立壁３ｗを、取付具２の係合孔２ｄにツイストロックさせて、ボディ本体３を取付具２に取り付けるようにしてある。
【００３７】
この住宅用防災感知器５１では、ツイストロックさせる起立壁３ｗをボディ本体３の裏面に突出形成しているため、起立壁３ｗを係合孔２ｄへ挿入する際に、起立壁３ｗの感触により、挿入口２ａの位置を確認できる。このため、ボディ本体３の取付具２への取付作業が、一層、容易となる。
【００３８】
【発明の効果】
以上、詳細に説明したように、請求項１に記載の住宅用防災感知器によれば、取付具を壁面や、天井面に取り付けておき、本体ボディの裏面に形成した係合孔に取付具の起立壁を挿入してから、本体ボディを回動させるという簡単な操作で、起立壁の係合爪が、係合孔に係合して、いわゆるツイストロックにより、本体ボディが取付具に固定されるので、本体ボディを取付具へ容易に取り付けることができる。
また、取付具に形成した起立壁の高さを、本体ボディの裏面の肉厚よりも十分に大きくしたので、本体ボディを取付具に取り付けると、本体ボディと取付具との間には、起立壁によって、頸部が形成される。
したがって、この住宅用防災感知器では、この頸部に、本体ボディより導出した電源コードを巻き付けて使用できる。
【００３９】
請求項２に記載の住宅用防災感知器によれば、ツイストロックさせる起立壁をボディ本体の裏面に突出形成させているため、起立壁を係合孔へ挿入する際に、感触を確認しながら取付けできるため、ボディ本体を取付具へ、一層、容易に取り付けることができる。
また、本体ボディに形成した起立壁の高さを、取付具の表面の肉厚よりも十分に大きくしたので、本体ボディを取付具に取り付けると、本体ボディと取付具との間には、起立壁によって、頸部が形成される。
したがって、この住宅用防災感知器では、この頸部に、本体ボディより導出した電源コードを巻き付けて使用できる。
【００４１】
請求項１又は２のいずれかに記載の住宅用防災感知器は、取付具に、取付位置を調整するための、弧状長孔を設けたので、壁面または天井面に取付具を固着する際に、取付具を上下、左右、あるいは回動させて、位置調整して固着できる。請求項１〜３のいずれかに記載の住宅用防災感知器は、感知部には、住宅用の電源ラインから電力が供給されるので、ガス漏れ警報器として好適に用いることができる。
【図面の簡単な説明】
【図１】本発明に係る住宅用防災感知器の要部を概略的に示す、分解斜視図である。
【図２】本発明に係る住宅用防災感知器を、壁面に取り付ける要領を示す説明図である。
【図３】本発明に係る住宅用防災感知器の要部を概略的に示す図であり、図３（ａ）は分解斜視図を、図３（ｂ）は、壁面に取り付けた状態を示す概略的な断面図を、各々、示す。
【図４】従来のガス漏れ警報器の要部を概略的に示す分解斜視図である。
【図５】従来のガス漏れ警報器を、壁等に取り付ける要領を示す説明図である。
【符号の説明】
１  住宅用防災感知器
２  取付具
２ｇ、３ｇ  係合爪
２ｗ、３ｗ  起立壁
３  本体ボディ
３ｄ、２ｄ  係合孔
５  差込みプラグ
６  電源コード
３１  上側カバー体
３２  背面板
３２ａ、２ａ  挿入口
２ｈ１  位置決め用のネジ孔
２ｈ２  取付具の取付位置調整用のネジ孔
３２ｖ、２ｖ  係合口
３２ｈ、２ｈ  係合孔
【図１】
0003713834.tif 000002
【図２】
0003713834.tif 000003
【図３】
0003713834.tif 000004
【図４】
0003713834.tif 000005
【図５】
0003713834.tif 000006